(57)【要約】【課題】洗浄水の噴射により食器等の洗浄を行う食器洗い機において、複数個の扉体を自動的に連動して開放する自動開放機構の動作を減速することで、使用時の煩わしさを解消し、使い勝手を向上する。【解決手段】洗浄槽１４に設けた開口部１５を開閉する複数個の上扉体１６と下扉体１７を連動リンク２５により連動し、第１のスプリング３３の付勢力によって自動開放機構で上扉体１６と下扉体１７を連動して自動的に閉状態から開放状態まで開放するよう構成するとともに、第１のスプリング３３は、開放動作途中で閉塞方向に付勢するよう構成する。【選択図】図１
2005095669.tif 000002
【特許請求の範囲】
【請求項１】
食器洗い機本体と、前記食器洗い機本体内に設けた洗浄槽と、前記洗浄槽に設けた開口部を開閉する複数個の扉体と、前記複数個の扉体を連動する連動手段と、付勢手段を有し、その付勢力によって前記複数個の扉体を連動して自動的に閉状態から開放状態まで開放する自動開放機構とを備え、前記付勢手段は、開放動作途中で閉塞方向に付勢するよう構成した食器洗い機。
【請求項２】
付勢手段は、複数個の扉体のうちの下扉体に作用させた請求項１記載の食器洗い機。
【請求項３】
複数個の扉体のうちの上扉体を常に開放方向に付勢する第２の付勢手段を有する請求項１または２記載の食器洗い機。
【請求項４】
自動開放機構の動作を減速する減速機構を備えた請求項１〜３のいずれか１項記載の食器洗い機。
【請求項５】
減速機構は、開放途中において複数個の扉体のうちの上扉体に作用させるよう構成した請求項４記載の食器洗い機。
【請求項６】
複数個の扉体をそれぞれ支持する支持部材と、前記支持部材の少なくとも１つに設けた減速機構とを備え、前記減速機構は、前記支持部材の一部分と当接するようにスプリングで付勢された摺動部材により構成した請求項４または５記載の食器洗い機。
【発明の詳細な説明】
【技術分野】
【０００１】
本発明は、洗浄水の噴射により食器等の洗浄を行う食器洗い機に関する。
【背景技術】
【０００２】
従来、この種の食器洗い機は、図５または図６に示すように構成していた。以下、その構成について説明する。
【０００３】
図５に示すように、扉体１は、扉軸２を中心にして、食器洗い機本体３の下部に開閉自在に取り付け、食器洗い機本体３の前面開口部を覆うよう構成し、扉体１の上部に扉体１を開閉する際につかむ把手部４と、スイッチ５により解除されるロック手段６とを設け、閉成状態で固定することができるよう構成している。
【０００４】
また、ロック手段６は、食器洗い機の運転動作の入力機能と連動し、扉体１が完全に閉成状態でない場合は運転しないよう構成し、運転途中に扉体１を開放された場合でも、洗浄水が食器洗い機本体３の機外に噴出しないよう配慮されている。食器洗い機本体３は、内部に洗浄槽７を設けており、この洗浄槽７は、内部に食器かご８を配置している。
【０００５】
食器洗い機の基本的な動作は、一般的によく知られているので、以下に簡単に述べると、使用者がスイッチ５によりロック手段６を解除し、その後、把手部４を持って扉体１を開放し、食器洗い機本体３内の洗浄槽７に配置した食器かご８に汚れた食器類をセットする。
【０００６】
つぎに、扉体１を閉め、ロック手段６を動作させて運転を開始すると、洗浄槽７の底部に配置したヒータによって洗浄水を加熱しながら、洗浄ノズルから食器類に向かって噴射し、食器類の汚れを落とす洗浄行程を行う。その後、食器類をすすいだ後、乾かす乾燥行程を行って運転が終了する。
【０００７】
また、他の食器洗い機として、図６に示すようなのもがある。図６において、食器洗い機本体９に設けた２個の扉体１０ａ、１０ｂを上下方向に各々回動して洗浄槽１１の開口部を開閉する構成であり、連動リンク１２によって、扉体１２ａ、１２ｂは連結されている。このため、扉体１０ａを持って開放すれば、同時に他方の扉体１０ｂも開放するようになっている。この食器洗い機も上述した基本動作を行う（例えば、特許文献１参照）。
【特許文献１】特開昭５０−２６３５６号公報
【発明の開示】
【発明が解決しようとする課題】
【０００８】
このような従来の構成で、図５に示す構成では、通常、ロック手段６の動作と扉体１を開くための把手部４を別々に設けており、扉体１を開ける際には、スイッチ５によりロック手段６を解除し、把手部４をつかみ直す必要がある。また、扉体１は閉塞方向に付勢されているため、把手部４を開放終了までつかんで開けなければならなく、煩わしく使い勝手に劣るという問題を有していた。
【０００９】
また、近年、食器洗い機の設置性を向上するために、扉体を複数に分割したものはさらに煩わしく、また、図６に示すように、複数個の扉体１０ａ、１０ｂを連動リンク１２によって回動自在に連結した場合でも、扉体１０ａ、１０ｂの開放に関して１枚扉と同様の問題を有していた。
【００１０】
また、煩わしさを解消するために、扉体１０ａ、１０ｂを自動的に閉成状態から開放状態まで開放する自動開放機構を設けた場合、運転の途中に使用者がスイッチを押し、ロック手段を解除して扉体１０ａ、１０ｂを開放したとき、解除と同時に噴射された洗浄水が、食器洗い機本体の機外に噴出されるという問題を有していた。
【００１１】
また、開放する際の衝撃力や、扉体１０ｂの衝撃によるリバウンドが生じ、使用勝手が悪くなるという問題を有していた。
【００１２】
本発明は上記従来の課題を解決するもので、複数個の扉体を自動的に連動して開放する自動開放機構の動作を減速することで、使用時の煩わしさを解消し、使い勝手を向上することを目的としている。
【課題を解決するための手段】
【００１３】
本発明は上記目的を達成するために、食器洗い機本体内に洗浄槽を設け、洗浄槽に設けた開口部を複数個の扉体により開閉し、複数個の扉体を連動手段により連動するとともに、複数個の扉体を自動開放機構により連動して自動的に閉状態から開放状態まで開放するよう構成し、自動開放機構の動作を減速機構により減速するよう構成したものである。
【００１４】
これにより、自動的に閉状態から開放状態まで開放する扉体の場合でも、運転の途中に使用者が扉体を開放したとき、解除と同時に噴射された洗浄水が、食器洗い機本体の機外に噴出することがなく、また、開放する際の衝撃力や、下扉体の衝撃によるリバウンドが生じないなど、使用時の煩わしさを解消した使い勝手のよい食器洗い機を提供することができる。
【発明の効果】
【００１５】
本発明の食器洗い機は、自動的に閉状態から開放状態まで開放する扉体の場合でも、運転の途中に使用者が扉体を開放したとき、解除と同時に噴射された洗浄水が食器洗い機本体の機外に噴出することがなく、また、開放する際の衝撃力や、下扉体の衝撃によるリバウンドが生じないなど、使用時の煩わしさを解消でき、使い勝手のよい食器洗い機を提供することができる。
【発明を実施するための最良の形態】
【００１６】
本発明の請求項１に記載の発明は、食器洗い機本体と、前記食器洗い機本体内に設けた洗浄槽と、前記洗浄槽に設けた開口部を開閉する複数個の扉体と、前記複数個の扉体を連動する連動手段と、付勢手段を有し、その付勢力によって前記複数個の扉体を連動して自動的に閉状態から開放状態まで開放する自動開放機構とを備え、前記付勢手段は、開放動作途中で閉塞方向に付勢するよう構成したものであり、自動的に閉状態から開放状態まで開放する扉体の場合でも、付勢手段が開放途中で扉体の閉塞方向に作用するように構成したので、運転の途中に使用者が扉体を開放したとき、解除と同時に噴射された洗浄水が食器洗い機本体の機外に噴出することがなく、また、開放する際の衝撃力や、下扉体の衝撃によるリバウンドが生じないなど、使用時の煩わしさを解消でき、使い勝手のよい食器洗い機を提供することができる。
【００１７】
請求項２に記載の発明は、上記請求項１に記載の発明において、付勢手段は、複数個の扉体のうちの下扉体に作用させたもので、下扉体が開放する際の衝撃力を緩和することができるので、下扉体の衝撃によるリバウンドが生じないなど、使用時の煩わしさを解消でき、使い勝手のよい食器洗い機を提供することができる。
【００１８】
請求項３に記載の発明は、上記請求項１または２に記載の発明において、複数個の扉体のうちの上扉体を常に開放方向に付勢する第２の付勢手段を有するもので、両付勢手段を作用させることで、複数の扉体を連動して自動的に閉状態から開放状態までより確実に開放することができる。
【００１９】
請求項４に記載の発明は、上記請求項１〜３のいずれか１項に記載の発明において、自動開放機構の動作を減速する減速機構を備えたもので、付勢手段による衝撃緩和に加えて、運転の途中に使用者が扉体を開放したときの噴射された洗浄水が食器洗い機本体の機外への噴出防止効果や扉体の衝撃によるリバウンド防止効果を高めて、より使い勝手のよい食器洗い機を提供することができる。
【００２０】
請求項５に記載の発明は、上記請求項４に記載の発明において、減速機構は、開放途中において複数個の扉体のうちの上扉体に作用させるよう構成したもので、特に移動速度が速く移動距離が大きい上扉体に減速機構を作用させることで、減速効果を効率よく作用させることができ、かつ減速機構の設計自由度を上げることができるとともに、開放途中で作用させることで、扉体の開放する時間を必要以上に遅らすことがなく、使用勝手をよくすることができる。
【００２１】
請求項６に記載の発明は、上記請求項４または５に記載の発明において、複数個の扉体をそれぞれ支持する支持部材と、前記支持部材の少なくとも１つに設けた減速機構とを備え、前記減速機構は、前記支持部材の一部分と当接するようにスプリングで付勢された摺動部材により構成したものであり、支持部材の動作に容易に連動することができるため、減速機構の構成を簡易にすることができる。
【００２２】
以下、本発明の実施の形態について、図面を参照しながら説明する。
【００２３】
（実施の形態１）
図１に示すように、食器洗い機本体１３は内部に洗浄槽１４を設け、この洗浄槽１４の開口部１５を上扉体（扉体）１６と下扉体（扉体）１７により開閉するよう構成している。上扉体１６に上支持部材１８を固定し、この上支持部材１８を上固定枢軸１９で基盤部材２０に回転自在に軸支している。また、下扉体１７に下支持部材２１を固定し、この下支持部材２１を下固定枢軸２２で基盤部材２０に回転自在に軸支している。
【００２４】
また、基盤部材２０の下部に、洗浄槽１４の外壁面に溶接したボルト２３が入る貫通穴を設け、ナット２４によって固定している。
【００２５】
また、上支持部材１８と下支持部材２１を連動する連動手段として、連動リンク２５を設けており、それぞれ上リンク枢軸２６、下リンク枢軸２７で上支持部材１８と下支持部材２１に軸支している。また、基盤部材２０および上支持部材１８、下支持部材２１は洗浄槽１４の左右両側に設けている。
【００２６】
下扉体１７には押しボタンスイッチ２８と、下扉体１７を閉塞状態に保持するロック手段２９を設け、押しボタンスイッチ２８と連動して、洗浄槽１４に設けた係止部３０からロック手段２９を解除できるようにしている。また、ロック手段２９に、食器洗い機の運転動作の入力機能を連動し、下扉体１７が完全に閉成状態でない場合は運転しないよう構成している。また、下扉体１７および上扉体１６と開口部１５のシール、および下扉体１７、上扉体１６間のシールには弾性体を有するシール部材（図示せず）を設置している。
【００２７】
また、連動リンク２５に、第１の保持部３１と第２の保持部３２を設けており、第１の保持部３１は基盤部材２０と第１のスプリング３３（引っ張りコイルばね）で連結し、扉体の閉成状態では開放側に力を付加し、開成状態では閉塞方向に力を付加するよう構成している。また、第２の保持部３２は上支持部材１８と第２のスプリング３４（引っ張りコイルばね）で連結し、上扉体１６を常に開放する方向に力を付加する構成としている。第１のスプリング３３と第２のスプリング３４とで、上扉体１６と下扉体１７を連動して自動的に閉状態から開放状態まで開放する自動開放機構を構成している。
【００２８】
また、基盤部材２０には、上支持部材１８と摺動する摺動部材３５を軸支し、摺動部材３５は第３のスプリング３６によって、上支持部材１８との摺動面に負荷を加え、上扉体１６と下扉体１７の開放速度を減速する減速機構を構成している。
【００２９】
また、上支持部材１８は、樹脂からなり上扉体１６の支持部とは別に、閉時当接部３７と開時当接部３８を設け、上扉体１６の閉成状態と開放途中において、摺動部材３５と当接するよう構成している。また、第２のスプリング３４を保持するばね保持部３９を、上固定枢軸１９と上リンク枢軸２６との間に設けている。
【００３０】
また、上リンク枢軸２６を保持する枢軸保持部４０は、上扉体１６が閉成状態での上リンク枢軸２６の位置より少なくとも上方向に移動可能な略連動リンク２５方向の長穴形状とし、リンク機構のばらつきを吸収して確実に閉塞するよう構成している。
【００３１】
上記の構成において作用を説明すると、上扉体１６と下扉体１７はそれぞれ、上支持部材１８、下支持部材２１によって、上下に開閉する構成であり、図２に示すように、上固定枢軸１９の回動によって、上扉体１６は上方に回動し、下固定枢軸２２の回動によって下扉体１７は下方に回動する。
【００３２】
この際、第１のスプリング３３と第２のスプリング３４とで開放側に付勢された連動リンク２５によって、下扉体１７に設けた押しボタンスイッチ２８を作動することで、ロック手段２９が解除され、上扉体１６と下扉体１７が連動して回動するため、使用者は、上扉体１６または下扉体１７をつかみ開放操作をする必要がなく、上扉体１６と下扉体１７は閉塞状態から開放状態まで自動的に開放する。
【００３３】
また、第１のスプリング３３によって、下扉体１７の開放動作途中に閉塞方向に力が付勢されることで、下扉体１７が開放する際の衝撃力を緩和している。このとき、上支持部材１８に設けた閉時当接部３７が、第３のスプリング３６に付勢された摺動部材３５によって閉塞側に力を負荷することで、上扉体１６と下扉体１７の開放速度を減速させ、使用者が運転途中に押しボタンスイッチ２８を動作させた場合でも、開放直後の上扉体１６と下扉体１７の開放速度を弱めることができ、ロック手段２９の解除と同時に噴射された洗浄水が、食器洗い機本体１３の機外に噴出されるのを防止することができる。
【００３４】
また、開時当接部３８と、第３のスプリング３６に付勢された摺動部材３５とで生じる摩擦力によって、上扉体１６と下扉体１７の開放速度を減速させ、開放する際の衝撃力を緩和するとともに、下扉体１７の衝撃によるリバウンドを防止することができる。
【００３５】
また、摺動部材３５と閉時当接部３７と開時当接部３８に接触していない状態では、速度が速いため、上扉体１６と下扉体１７の開放する時間を必要以上に遅らすことがなく、使用勝手をよくすることができる。
【００３６】
また、摺動部材３５は、上支持部材１８および下支持部材２１を設置した基盤部材２０に設置することで、それぞれの設置位置の誤差が加工誤差のみとなり、上扉体１６と下扉体１７の開放速度および開放時の衝撃力のばらつきをきわめて小さくできる等、組立後の扉体の動作を安定させることができる。
【００３７】
また、基盤部材２０の下部に洗浄槽１４の外壁面に溶接したボルト２３が入る貫通穴を設け、ナット２４によって固定しているため、上支持部材１８、下支持部材２１、摺動部材３５および各スプリングを取り付けた状態の基盤部材２０を、保守点検の際に容易に取り外しができ、メンテナンス後の位置決めも容易である。
【００３８】
なお、本実施の形態では、減速機構を上支持部材１８に当接させているが、下支持部材２１に当接するよう構成しても同様の作用、効果を得ることができる。
【００３９】
（実施の形態２）
図３および図４に示すように、基盤部材４１に、歯車部を有するオイルダンパー４２を設け、上支持部材４３との噛み合いによって、上記実施の形態１と同様に、上扉体１６と下扉体１７の開放速度を減速する減速機構を構成している。
【００４０】
また、上支持部材４３は、樹脂からなり上扉体１６の支持部とは別に、上固定枢軸１９を中心とした歯車の一部をなす第１の歯車部４４と第２の歯車部４５を設け、上扉体１６の閉成状態と開放状態の手前で、オイルダンパー４２の歯車と噛み合うよう構成している。他の構成は上記実施の形態１と同じであり、同一符号を付して説明を省略する。
【００４１】
上記の構成において作用を説明すると、第１の歯車部４４と第２の歯車部４５がオイルダンパー４２と噛み合う上扉体１６と下扉体１７の閉塞状態と、開放状態手前の開放動作途中でオイルダンパー４２の力によって、上扉体１６と下扉体１７の開放速度を減速することができる。
【００４２】
また、上支持部材４３に設けた歯車部の数、位置によって容易に回転動作を変更することができ、設計自由度が高い。
【００４３】
なお、開放速度は、オイルダンパー４２のオイルの種類、上支持部材４３との歯車の比率で容易に調整することができる。
【産業上の利用可能性】
【００４４】
以上のように、本発明にかかる食器洗い機は、自動的に閉状態から開放状態まで開放する扉体の場合でも、運転の途中に使用者が扉体を開放したとき、解除と同時に噴射された洗浄水が食器洗い機本体の機外に噴出することがなく、また、開放する際の衝撃力や、下扉体の衝撃によるリバウンドが生じないなど、使用時の煩わしさを解消できるので、洗浄水の噴射により食器等の洗浄を行う食器洗い機等として有用である。
【図面の簡単な説明】
【００４５】
【図１】本発明の第１の実施の形態の食器洗い機の扉体の閉成状態の断面図
【図２】同食器洗い機の扉体の開成状態の断面図
【図３】本発明の第２の実施の形態の食器洗い機の扉体の閉成状態の断面図
【図４】同食器洗い機の扉体の開成状態の断面図
【図５】従来の食器洗い機の一例の断面図
【図６】従来の食器洗い機他の例の扉体の閉成状態の一部切欠した側面図
【符号の説明】
【００４６】
１３  食器洗い機本体
１４  洗浄槽
１５  開口部
１６  上扉体（扉体）
１７  下扉体（扉体）
２５  連動リンク（連動手段）
３３  第１のスプリング（付勢手段）
３４  第２のスプリング（第２の付勢手段）
３５  摺動部材（減速機構）
３６  第３のスプリング（減速機構）
【図１】
2005095669.tif 000003
【図２】
2005095669.tif 000004
【図３】
2005095669.tif 000005
【図４】
2005095669.tif 000006
【図５】
2005095669.tif 000007
【図６】
2005095669.tif 000008